(57)【要約】      （修正有）【課題】外と内フレームムが回動可能で、薄く収納できる看板を提供する。【解決手段】コ字状の外フレーム５は、外横部材５ａの両端に垂直に一対の外縦部材５ｂで形成され、アルミニウム等の金属、合成樹脂又は木材等で製作されていて、標示板等が取り付けてある。また、一対の外縦部材５ｂには、外補強材６が横架される。前記外横部材５ａと外縦部材５ｂの高さ幅は同じ。折り畳んだ時、外横部材５ａと外縦部材５ｂの表面は均一面を形成する。一方、前記外フレーム５内側には、後述のカバーを装着可能に、外縦部材５ｂとの間に隙間７を形成し、一対の内縦部材８ｂで構成の内フレーム８が、外縦部材５ｂに取り付けの回動軸９で回動可能に装着されている。又、一対の内縦部材８ｂは、内補強材が横架されている。尚、前記内フレーム８の内縦部材８ｂの高さ幅は、外フレーム５の外縦部材５ｂの高さ幅と同じか、それより小さい。【選択図】図１
0003183983.tif 000002
【実用新案登録請求の範囲】
【請求項１】
外フレームと内フレームが回動可能な看板であって、
前記内フレームの縦部材の高さ幅は、前記外フレームの縦部材の高さ幅と同じかそれより小さいことを特徴とする看板。
【請求項２】
請求項１の看板であって、
外フレームの縦部材と内フレームの縦部材の間に隙間を形成し、
外フレームをカバーで覆うことを特徴とする看板。
【考案の詳細な説明】
【技術分野】
【０００１】
本願考案は、開閉式の看板であり、特に薄く収納形成する看板に関する。
【背景技術】
【０００２】
従来、例えば、特許文献１の図１に示すように、看板の枠体には、何ら保護がされておらず、人に接触すると怪我が生ずる可能性がある。また、特許文献１に開示の看板は、前フレームと後フレームは、相対する位置に形成してあり、開いた状態では、前フレームと後フレームは、前後対称となり安定性の確保となる。
【先行技術文献】
【特許文献】
【０００３】
【特許文献１】特開平６−２６６２９１
【考案の概要】
【考案が解決しようとする課題】
【０００４】
しかしながら、特許文献１に開示の看板は、収納すると、前フレームと後フレームが重なり合う高さ幅で収納されるため、運搬時に、かさむという課題が生ずる。
また、看板に人が当たると、フレームと接触して、怪我をするという課題がある。
そこで、本考案は係る課題を解消する看板を提供するものである。
【課題を解決するための手段】
【０００５】
請求項１の外フレームと内フレームが回動可能な看板は、内フレームの縦部材の高さ幅が外フレームの縦部材の高さ幅と同じかそれより小さい。
また、請求項２の看板は、外フレームの縦部材と内フレームの縦部材の間に隙間を形成し、外フレームをカバーで覆う。
【考案の効果】
【０００６】
請求項１の看板は、収納時にかさばらない。又、請求項２の看板は、人への損傷を防止できる。
【図面の簡単な説明】
【０００７】
【図１】看板の収納状態の正面図である。
【図２】看板の収納状態の正面図において（Ａ）はカバー、（Ｂ）はフレームにカバーを装着した正面図である。
【図３】フレームにカバーを装着した看板の使用状態図である。
【図４】他の看板の収納状態の正面図である。
【図５】他の看板の収納状態の右側面図である。
【図６】他の看板の収納状態の図４におけるＡ〜Ａ矢視図である。
【図７】他の看板の使用状態図である。
【考案を実施するための形態】
【０００８】
本考案の実施の形態について、看板の収納状態の正面を示す図１、カバー及びカバーをフレームに装着の看板の正面を示す図２、フレームにカバーを装着の看板の使用状態を示す図３を参照して説明する。
【０００９】
コ字状の外フレーム５は、外横部材５ａの両端に垂直に一対の外縦部材５ｂで形成され、アルミニウム等の金属、合成樹脂又は木材等で製作されていて、標示板等（図示略）が取り付けてある。また、一対の外縦部材５ｂには、外補強材６が横架されている。尚、前記外横部材５ａと外縦部材５ｂの高さ幅は同じである。即ち、折り畳んだとき、外横部材５ａと外縦部材５ｂの表面は均一面を形成する。
【００１０】
一方、前記外フレーム５内側には、後述のカバーを装着可能に、外縦部材５ｂとの間に隙間７を形成して、一対の内縦部材８ｂで構成の内フレーム８が、外縦部材５ｂに取り付けの回動軸９で回動可能に装着されている。又、一対の内縦部材８ｂには、内補強材１０が横架されている。
尚、前記内フレーム８の内縦部材８ｂの幅（高さ）は、外フレーム５の外縦部材５ｂの高さ幅と同じか、それより小さい。その結果、図２の右側面図に示すように、内フレーム８の内縦部材８ｂは、外フレーム５の外縦部材５ｂで見えない状態となり、内フレーム８を外フレーム５内に折り畳んで収納状態にしたとき、外縦部材５ｂの高さ幅で収納可能になり、運搬時にかさばらない。
【００１１】
図２（Ａ）は、スポンジ等の弾性を備えるカバー１５の一部を示し、前記外フレーム５の外横部材５ａと外縦部材５ｂの外形に合う形状（ここでは四角形）の挿入孔１５ａが形成されていると共に、スリット１５ｂが中央に形成してあり、そのスリット１５ｂを開いて前記外横部材５ａと外縦部材５ｂに装着可能になっている。
【００１２】
図２（Ｂ）は、前記外フレーム５の外横部材５ａと外縦部材５ｂの右半分に、カバー１５を装着した正面図であり、図３は内フレーム８を開いて、看板の使用状態を示す図である。
このように、前記外フレーム５の外横部材５ａと外縦部材５ｂの全体をカバーで覆うと、人が接触しても、カバーの弾性作用により傷つくことを防止できる。
【００１３】
次に、図４〜図７に示す看板は、カバーで覆わない形状であるため、外フレーム３０の外縦部材３０ｂと内フレーム４０の内縦部材４０ｂの間には隙間を形成しない。
また、図４は収納状態の正面図、図５は収納状態の右側面図、図６は図４におけるＡ〜Ａ矢視図、図７は使用状態図である。
【００１４】
。
コ字状の外フレーム３０は、外横部材３０ａの両端に垂直に一対の外縦部材３０ｂで形成され、アルミニウム等の金属、合成樹脂又は木材等で製作されていて、標示板等（図示略）が取り付けてある。また、一対の外縦部材３０ｂには、外補強材３１が横架されている。尚、前記外横部材３０ａと外縦部材３０ｂの高さ幅は同じであり、折り畳んだとき、外横部材３０ａと外縦部材３０ｂは均一面を形成する。
【００１５】
一方、前記外フレーム３０内側には、一対の内縦部材４０ｂで構成の内フレーム４０が、外縦部材３０ｂに取り付けの回動軸３２で回動可能に装着されている。又、一対の内縦部材４０ｂには、内補強材４１が横架されている。
【００１６】
尚、前記内フレーム４０の内縦部材４０ｂの高さ幅は、外フレーム３０の外縦部材３０の高さ幅と同じか、それより小さい。その結果、図５の右側面図に示すように、内フレーム４０の内縦部材４０ｂは、外フレーム３０の外縦部材３０ｂで見えない状態となり、内フレーム４０を外フレーム３０内に折り畳んで収納状態にしたとき、外縦部材３０の厚さで収納可能になり、運搬時にかさばらない。
【００１７】
以上のように、内フレームを外フレーム内に収納可能に構成すると、収納時にかさばらないので運搬に要する容積が少なくて済む。又、外フレームを弾性作用のあるカバーで覆うと、人が当たっても、怪我を防止できる。
【符号の説明】
【００１８】
５  外フレーム
５ａ  外横部材
５ｂ  外縦部材
７  隙間
８  内フレーム
８ａ  内横部材
８ｂ  内縦部材
９  回動軸
１５  カバー
３０  外フレーム３０
３０ａ  外横部材
３０ｂ  外縦部材
３２  回動軸
４０  内フレーム
４０ａ  外横部材
４０ｂ  内縦部材
【図１】
0003183983.tif 000003
【図２】
0003183983.tif 000004
【図３】
0003183983.tif 000005
【図４】
0003183983.tif 000006
【図５】
0003183983.tif 000007
【図６】
0003183983.tif 000008
【図７】
0003183983.tif 000009